(57)【要約】【課題】繰り返して使用可能で寿命が長い段ボール紙パッケージを提供する。【解決手段】物品を内包し搬送するための段ボール紙パッケージであって、平面形状に展開可能な段ボール紙により形成され、前記段ボール紙を折り曲げた際に、相互が係合することにより段ボールパッケージの立体形状を維持させる複数の係合部を備え、前記段ボールパッケージを構成する少なくとも正面、裏面、上面、下面、左側面及び右側面から成る6面の間の各仕切り線において、一方の側及び他方の側の両側方向に折れ曲げ可能とする折れ線又はミシン目線が施され、展開された前記段ボール紙における少なくとも前記６面の平面形状が中心線に対して左右対称に形成され、何れの側の面を外表面に折り曲げて形成しても同一の立体形状を成すように形成する。【選択図】図１
0003128183.tif 000002
【実用新案登録請求の範囲】
【請求項１】
物品を内包し搬送するための段ボール紙パッケージであって、
平面形状に展開可能な段ボール紙により形成され、
前記段ボール紙を折り曲げた際に、相互が係合することにより段ボールパッケージの立体形状を維持させる複数の係合部を備え、
前記段ボールパッケージを構成する少なくとも正面、裏面、上面、下面、左側面及び右側面から成る6面の間の各仕切り線において、一方の側及び他方の側の両側方向に折れ曲げ可能とする折れ線又はミシン目線が施され、
展開された前記段ボール紙における少なくとも前記６面の平面形状が中心線に対して左右対称に形成され、何れの側の面を外表面に折り曲げて形成しても同一の立体形状を成す段ボール紙パッケージ。
【請求項２】
前記段ボールの一方の面と他方の面には、同じ箇所に同一の文字、記号又は図面が印刷されていることを特徴とする請求項１に記載の段ボール紙パッケージ。
【請求項３】
内包する物品を支持するための支持部材を有する請求項１又は２に記載の段ボール紙パッケージ。
【請求項４】
前記支持部材は、物品を保持する物品保持面と当該物品保持面を取り囲む複数の脚用部により構成され、前記物品保持面と前記複数の脚用面の各仕切り線において、両方向に折れ曲げ可能とする折れ線又はミシン目線が施されている請求項３に記載の段ボール紙パッケージ。
【考案の詳細な説明】
【技術分野】
【０００１】
本考案は、物品を内包し搬送するために使用される組立式の段ボール紙パッケージに関する。
【背景技術】
【０００２】
段ボール箱は、段ボール原紙を多層構造とすることにより強靭に形成し、各種物品の包装資材又は搬送資材として多方面に使用されている。このような段ボール箱の多くは、ライナーと呼ばれる表面紙及び裏面紙と、当該表面紙と裏面紙の間の中芯と呼ばれる中間層の波状紙により構成された段ボールシートを立体形状に折り曲げることにより形成される。
【０００３】
従来の段ボール箱は、一枚の大きな段ボール紙を所定の形状に裁断し、裁断された段ボール紙の予め折り線が施された複数箇所を折り曲げることにより立体形状の搬送用箱に組み立てられて使用される。しかし、段ボール紙を折り曲げて段ボール箱に組み立てても、そのままでは箱としての立体形状を維持できないので、段ボール箱の製造業者は、予め裁断された段ボール紙を組み立てて箱形状に固定するための糊付けやステープル留めの処理を施すか、又は段ボール箱の搬送時の便宜のために折り畳み可能にはしているもの、複数箇所をステープル留めして出荷するようにしている。
【考案の開示】
【考案が解決しようとする課題】
【０００４】
このため、従来の段ボール箱は、段ボール紙の一方の面が段ボール箱の外表面に固定化されることとなる。しかし、段ボール箱は物品搬送用パッケージとして繰り返して使用されると、段ボール箱の外表面の一部が傷つけられたり、陥没したり又は汚れたりするので、使用する回数は限られていた。そして、その外表面の一部が傷つけられたり、陥没したり又は汚れたりした段ボール箱は、廃棄されていたのである。
【０００５】
しかし、このようにその外表面の一部に傷等が生じた段ボール箱でも、その内面側は、外表面のライナー及び中芯の波状紙によって保護されているので、傷や汚れ等が生じておらずにきれいな状態に維持されているのである。
【０００６】
このため、もしも内面側を外表面側に折り返して使用することができれば、段ボール紙パッケージとして寿命を大きく伸ばすことができて繰り返し使用可能な回数を大幅に増大できると共に、資源保護の観点からも望ましい。
【課題を解決するための手段】
【０００７】
このため、本考案は、物品を内包し搬送するための段ボール紙パッケージであって、平面形状に展開可能な段ボール紙により形成され、前記段ボール紙を折り曲げた際に、相互が係合することにより段ボールパッケージの立体形状を維持させる複数の係合部を備え、前記段ボールパッケージを構成する少なくとも正面、裏面、上面、下面、左側面及び右側面から成る６面の間の各仕切り線において、一方の側及び他方の側の両側方向に折れ曲げ可能とする折れ線又はミシン目線が施され、展開された前記段ボール紙における少なくとも前記６面の平面形状が中心線に対して左右対称に形成され、何れの側の面を外表面に折り曲げて形成しても同一の立体形状を成す段ボール紙パッケージを提供するものである。
【０００８】
ここで、前記段ボールの一方の面と他方の面には、同じ箇所に同一の文字、記号又は図面が印刷されている。これによって、きれいな内面側を段ボール箱の外表面にする際に、きれいな印刷面を外側に出すことができるのである。
【０００９】
ところで、本考案に係る段ボール紙パッケージは、内包する物品を支持するための支持部材を有し、当該支持部材は、物品を保持する物品保持面と当該物品保持面を取り囲む複数の脚用部により構成され、前記物品保持面と前記複数の脚用面の各仕切り線において、両方向に折れ曲げ可能とする折れ線又はミシン目線が施されている。これにより、本考案に係る段ボール紙パッケージの内部において物品を支持する支持部材についても、その寿命を延ばすことができたのである。
【考案の効果】
【００１０】
本考案に係る段ボール紙パッケージは、段ボール紙の内面側を外表面側に折り返して使用することができるので、段ボールパッケージとして繰り返し使用することができ、段ボール紙パッケージとしての寿命を大きく伸ばすことを可能にしたのである。
【考案を実施するための最良の形態】
【００１１】
以下、本考案に係る物品搬送用段ボール紙パッケージの実施の形態の例の詳細を、図面に基づいて説明する。
【００１２】
図１は、本段ボール紙パッケージＡの展開状態を示し、図２は、これを箱形状に組み立てた状態を示す。尚、図示のパッケージは、箱形状のインクカートリッジを４個まとめて収納する段ボール紙パッケージの例を示している。
【００１３】
図１に示す本段ボール紙パッケージＡの展開において、これを図２に示すように箱形状に組み立てた際に、箱体のそれぞれ正面１ａ、１ｂ、裏面８ａ、８ｂ、右側面５、左側面６、底面２及び上面（蓋部）を形成する各面間の各仕切り線には、段ボール紙を一方の側及び他方の側の何れにも折れ曲げ可能とする折れ線又はミシン目線１０が施されている。また、図２における実線１０ｂは、切り込み線を示す。
【００１４】
図１に示す本段ボール紙パッケージＡの裏側は、係合部８ｃ、８ｄが左右逆方向に向く以外は、図１に示す展開と同様であるのでこれを省略する。
【００１５】
図１に示す本段ボール紙パッケージＡを図２に示す箱形状に組み立てるには、図１に示す各部の符合が図２に示す各部の符合と対応しているので、ここに説明するまでもないが、本段ボール紙パッケージＡには、本段ボール紙パッケージＡを折り曲げた際に、箱の立体形状を維持するための複数の係合部７ａ、７ｂ、８ａ、８ｂを備えている。即ち、図２に示すように、係合部７ａ、７ｂは、箱形状の仕切り線１ｃにて１８０度折られる正面１ａ、１ｂの２つの段ボール紙の間に挿入される。また、箱形状の裏面を形成する面８ａ、８ｂに設けられた係合部８ｃ、８ｄは、その舌部が相互に差し込まれる。これにより、図１に示す本段ボール紙パッケージＡが図２に示し箱形状となりそれを維持するのである。
【００１６】
このように、本段ボール紙パッケージＡにおいては、少なくとも正面、裏面、上面、下面、左側面及び右側面から成る６面の平面形状が中心線に対して左右対称に形成され、且つ当該６面間の各仕切り線において、一方の側及び他方の側の両側方向に折れ曲げ可能とする折れ線又はミシン目線が施されるので、何れの側の面を外表面に折り曲げて形成しても同一の立体形状を成す段ボール紙箱となるのである。
【００１７】
このため、図１及び図２に示すように、本段ボール紙パッケージＡの一方の面と他方の面には、同じ箇所（例えば、正面１ｂ、上面４ａ）に同一の文字、記号又は図面（例えば、文字印字１１、１２）が印刷されるのである。
【００１８】
さらに、本段ボール紙パッケージＡには、上面（蓋面）４ａが正面１ａ、１ｂの内側に差し込まれた際に容易に外れないようにするために、上面（蓋面）４ａに蓋面差込部４ｂが接続されている。同様に、右側面５及び左側面６には、夫々折り曲げ部５ｂ、６ｂが接続されて箱形状に組み立てた際に大きな隙間が生じないようにしている。
【００１９】
図３は、必要に応じて本段ボール紙パッケージＡと共に用いられる物品の支持部材Ｂの例を示す。当該支持部材Ｂは、物品（例えば、インクカートリッジ４個）を、パッケージ内において動かないように支持するためのものである。
【００２０】
図３に示すように、本支持部材Ｂは、物品を保持する物品保持面２１及び当該物品保持面２１を取り囲む４つの脚用部２２ａ、２２ｂ、２２ｃ、２２ｄ、により構成され、物品保持面２１と各脚用面の各仕切り線には、上下両方向に折れ曲げ可能とする折れ線又はミシン目線１０が施されている。そして、物品保持面２１には、例えば４個のインクカートリッジを収納するための切り込みが施されているのである。
【００２１】
図４は、図２に示した箱形状に組み立てられた本段ボール紙パッケージＡ内に図３に示した搬送する物品を収納するための支持部材Ｂを収める際の説明図を示す。支持部材Ｂの寸法は、段ボール紙パッケージＡの内側寸法に適合するようになっている。
【００２２】
図５は、上面（蓋面）１１が閉じられて、本段ボール紙パッケージＡが箱形状に組み立てられた状態を示す。このように組み立てられた本段ボール紙パッケージＡは、図１に示す展開された状態の表裏何れの面を箱パッケージの外表面に組み立てても全く同じ外観を呈するのである。
【００２３】
以上詳しく説明したように、本段ボール紙パッケージにおいては、平面形状に展開可能な段ボール紙により形成され、この段ボール紙を折り曲げた際に、相互が係合することにより段ボールパッケージの立体形状を維持させる複数の係合部を備え、前記段ボールパッケージを構成する少なくとも正面、裏面、上面、下面、左側面及び右側面から成る6面の間の各仕切り線において、一方の側及び他方の側の両側方向に折れ曲げ可能とする折れ線又はミシン目線が施され、展開された前記段ボール紙における少なくとも前記６面の平面形状が中心線に対して左右対称に形成されるので、何れの側の面を外表面に折り曲げて形成しても同一の立体形状を成すことができるので、段ボールパッケージとして繰り返し使用することを可能にしたのである。
【産業上の利用可能性】
【００２４】
本考案は、物品を内包し搬送するために使用される組立式の段ボール紙パッケージに関するものであり、産業上の利用可能性を有する。
【図面の簡単な説明】
【００２５】
【図１】本段ボール紙パッケージＡの展開状態を示す。
【図２】本段ボール紙パッケージを箱形状に組み立てた状態を示す。
【図３】本段ボール紙パッケージＡと共に用いられる物品の支持部材Ｂの例を示す。
【図４】図２に示した箱形状に組み立てられた本段ボール紙パッケージＡ内に図３に示した搬送する物品を収納するための支持部材Ｂを収める際の説明図を示す。
【図５】本段ボール紙パッケージＡが箱形状に組み立てられた状態を示す。
【符号の説明】
【００２６】
Ａ：本考案に係る段ボール紙パッケージ
Ｂ：収納される物品の支持部材
１ａ、１ｂ：正面
２：底面
４：上面（蓋部）
５：右側面
６：左側面
８ａ、８ｂ：裏面
７ａ、７ｂ、８ａ、８ｂ：係合部
１０ａ：折れ線又はミシン目線
１０ｂ：切り込み線
【図１】
0003128183.tif 000003
【図２】
0003128183.tif 000004
【図３】
0003128183.tif 000005
【図４】
0003128183.tif 000006
【図５】
0003128183.tif 000007